(57)【要約】【課題】限られた時間でバッテリ充電とデータ転送を可能とし、バッテリ切れや記憶媒体の残容量不足で撮像装置が使用不能となる不具合を解消可能とした撮像装置を提供する。【解決手段】デジタルビデオカメラは、マイコン１０１、記憶媒体１０６、記憶媒体残容量検出部１０９、バッテリ１１３、充電残量検出部１１８を備える。マイコン１０１は、充電残量検出部１１８で検出したバッテリ１１３の充電残量が規定値より少ない場合は、充電／データ転送の優先順位の設定に関わらずバッテリ１１３の充電を優先し、バッテリ１１３の充電残量が規定値になるまでバッテリ充電を行う。マイコン１０１は、記憶媒体残容量検出部１０９で検出した記憶媒体１０６の記録残量が規定値より少ない場合は、充電／データ転送の優先順位の設定に関わらずデータ転送を優先し、記憶媒体１０６の記録残量が規定値になるまでデータ転送を行う。【選択図】図１
2008085598.tif 000002
【特許請求の範囲】
【請求項１】
バッテリを充電するバッテリ充電機能と、記憶媒体に記録されたデータを外部機器に転送するデータ転送機能とを有する撮像装置であって、
前記バッテリの充電残量を検出する充電残量検出手段と、
前記記憶媒体のデータ記録が可能な記録残量を検出する記録残量検出手段と、
バッテリ充電又はデータ転送を行う際の優先順位を設定する設定手段と、
前記設定手段により設定された優先順位に基づきバッテリ充電とデータ転送とを切り替え、前記充電残量検出手段の検出結果に応じたバッテリ充電、前記記録残量検出手段の検出結果に応じたデータ転送を実行する制御手段と、
を備えることを特徴とする撮像装置。
【請求項２】
前記制御手段は、前記充電残量検出手段により検出した前記バッテリの充電残量が規定値より少ない場合は、前記設定手段による優先順位の設定に関わらずバッテリ充電を優先し、前記充電残量が規定値になるまでバッテリ充電を行うことを特徴とする請求項１記載の撮像装置。
【請求項３】
前記制御手段は、前記記録残量検出手段により検出した前記記憶媒体の記録残量が規定値より少ない場合は、前記設定手段による優先順位の設定に関わらずデータ転送を優先し、前記記録残量が規定値になるまでデータ転送を行うことを特徴とする請求項１記載の撮像装置。
【請求項４】
前記制御手段は、前記外部機器との接続が確立しない場合又は転送するデータを前記外部機器が受信できない場合は、前記設定手段により設定された優先順位に関わらずバッテリ充電を行うことを特徴とする請求項１記載の撮像装置。
【請求項５】
前記制御手段は、前記バッテリの充電ができない場合又は前記撮像装置に前記バッテリが装着されていない場合は、前記設定手段により設定された優先順位に関わらずデータ転送を行うことを特徴とする請求項１記載の撮像装置。
【請求項６】
バッテリを充電するバッテリ充電機能と、記憶媒体に記録されたデータを外部機器に転送するデータ転送機能とを有する撮像装置であって、
前記バッテリの充電残量を検出する充電残量検出手段と、
前記充電残量検出手段により検出した前記バッテリの充電残量が第１の規定値に達していない場合は、前記バッテリの充電残量が第２の規定値になるまでバッテリ充電を実行した後にデータ転送を実行し、更に前記バッテリの充電残量が第３の規定値になるまでバッテリ充電を行う制御手段と、
を備えることを特徴とする撮像装置。
【請求項７】
バッテリを充電するバッテリ充電機能と、記憶媒体に記録されたデータを外部機器に転送するデータ転送機能とを有する撮像装置の制御方法であって、
前記バッテリの充電残量を検出する充電残量検出ステップと、
前記記憶媒体のデータ記録が可能な記録残量を検出する記録残量検出ステップと、
バッテリ充電又はデータ転送を行う際の優先順位を設定する設定ステップと、
前記設定ステップにより設定された優先順位に基づきバッテリ充電とデータ転送とを切り替え、前記充電残量検出ステップの検出結果に応じたバッテリ充電、前記記録残量検出ステップの検出結果に応じたデータ転送を実行する制御ステップと、
を備えることを特徴とする制御方法。
【請求項８】
バッテリを充電するバッテリ充電機能と、記憶媒体に記録されたデータを外部機器に転送するデータ転送機能とを有する撮像装置の制御方法であって、
前記バッテリの充電残量を検出する充電残量検出ステップと、
前記充電残量検出ステップにより検出した前記バッテリの充電残量が第１の規定値に達していない場合は、前記バッテリの充電残量が第２の規定値になるまでバッテリ充電を実行した後にデータ転送を実行し、更に前記バッテリの充電残量が第３の規定値になるまでバッテリ充電を行う制御ステップと、
を備えることを特徴とする制御方法。
【請求項９】
前記請求項７又は８記載の撮像装置の制御方法をコンピュータに実行させるためのプログラム。
【発明の詳細な説明】
【技術分野】
【０００１】
本発明は、バッテリ充電機能とデータ転送機能を有する電子カメラに適用される撮像装置、制御方法、及びプログラムに関する。
【背景技術】
【０００２】
近年、家電製品など日常生活で使用する電子機器同士をネットワークで接続するための規格であるＤＬＮＡ（Digital Living Network Alliance）に準拠した製品が増加している。これに伴い、今後は家庭内に設置される電子機器のネットワーク化が進むことが予想される。電子機器同士をネットワークを介し接続することにより、電子機器間のデータ転送が可能となる。例えばデジタルビデオカメラをネットワークに接続するだけで、デジタルビデオカメラにより撮像した動画データを容易にハードディスクレコーダへ転送することができる。
【０００３】
また、電子機器で用いる記憶媒体の記憶容量が飛躍的に高まってきている。これに伴い、高画質な映像や画像を記憶媒体に長時間記録することができるようになっている。この場合、映像データや画像データを繰り返し記録可能な記憶媒体であれば、定期的に撮影済のデータを外部機器に転送する必要があるが、データ量が大きいとデータの転送に時間が掛かる。
【０００４】
一方、持ち運び可能なカメラであれば、バッテリ駆動により使用する機会が多いため、バッテリの充電も必要になる。この場合、多くのカメラはバッテリの充電中において、カメラに内蔵された電源回路が充電回路以外の電源非供給部に対する電源供給を停止するため、充電以外の動作ができなくなるという制限がある。
【０００５】
上記の問題を解決するために、データ転送用のバスから供給される電流を利用することでバッテリの充電とデータ転送を同時に行う技術が提案されている（例えば、特許文献１参照）。
【特許文献１】特開２００２−２３７９７１号公報
【発明の開示】
【発明が解決しようとする課題】
【０００６】
しかしながら、従来のカメラにおいては、カメラの使用後にバッテリの充電とデータ転送を行うと、バッテリの充電とデータ転送の全てを完了させるためには長い時間が掛かる。そのため、バッテリの充電とデータ転送が完了するまでの時間はカメラを使用することができないという問題がある。
【０００７】
また、次回のカメラ使用までに限られた時間しかない場合、バッテリの充電またはデータ転送のどちらかしかできないことがある。そのため、次回のカメラ使用時に記憶媒体の残量不足またはバッテリ切れが予想される。
【０００８】
更に、ユーザがカメラの操作部からバッテリの充電とデータ転送の切り替えを行う必要がある。そのため、バッテリの充電残量もしくは記憶媒体の空き容量をユーザが監視しなくてはならず、手間が掛かり煩雑であるという問題がある。
【０００９】
そこで、バッテリの充電とデータ転送が完全に終了しないまでも、次回のカメラ使用までの限られた時間内に、バッテリの充電とデータ転送の両方が適度に且つ自動的に行われていることが要望されている。
【００１０】
上記の特許文献１によれば、バッテリの充電とデータ転送を同時に行うことができるため、バッテリの充電とデータ転送に要する合計の時間を短縮することができる。しかし、特許文献１の方法は、パーソナルコンピュータのＵＳＢ（Universal Serial Bus）など電源供給機能を有する接続手段でないと実現できないため、ネットワークで電子機器同士を接続する方法で用いることができるとは限らない。また、電源回路の構造が複雑になるため、部品点数やコストの増大が避けられない。
【００１１】
本発明の目的は、限られた時間でバッテリ充電とデータ転送を可能とし、バッテリ切れや記憶媒体の残容量不足で撮像装置が使用不能となる不具合を解消可能とした撮像装置、制御方法、及びプログラムを提供することにある。
【課題を解決するための手段】
【００１２】
上述の目的を達成するために、本発明の撮像装置は、バッテリを充電するバッテリ充電機能と、記憶媒体に記録されたデータを外部機器に転送するデータ転送機能とを有する撮像装置であって、前記バッテリの充電残量を検出する充電残量検出手段と、前記記憶媒体のデータ記録が可能な記録残量を検出する記録残量検出手段と、バッテリ充電又はデータ転送を行う際の優先順位を設定する設定手段と、前記設定手段により設定された優先順位に基づきバッテリ充電とデータ転送とを切り替え、前記充電残量検出手段の検出結果に応じたバッテリ充電、前記記録残量検出手段の検出結果に応じたデータ転送を実行する制御手段と、を備えることを特徴とする。
【００１３】
また、本発明は、バッテリを充電するバッテリ充電機能と、記憶媒体に記録されたデータを外部機器に転送するデータ転送機能とを有する撮像装置であって、前記バッテリの充電残量を検出する充電残量検出手段と、前記バッテリの充電残量が第１の規定値に達していない場合は、前記バッテリの充電残量が第２の規定値になるまでバッテリ充電を実行した後にデータ転送を実行し、更に前記バッテリの充電残量が第３の規定値になるまでバッテリ充電を行う制御手段と、を備えることを特徴とする。
【発明の効果】
【００１４】
本発明によれば、優先順位に基づきバッテリ充電とデータ転送とを切り替えて実行するため、ユーザに手間を掛けずに且つ部品点数やコストの増大を招くことなく、限られた時間でバッテリ充電とデータ転送が可能となる。これにより、バッテリ切れや記憶媒体の残容量不足で撮像装置が使用不能となる不具合を解消することが可能となる。
【発明を実施するための最良の形態】
【００１５】
以下、本発明の実施の形態を図面に基づいて説明する。
【００１６】
［第１の実施の形態］
図１は、本発明の第１の実施の形態に係る撮像装置としてのデジタルビデオカメラの構成を示すブロック図である。
【００１７】
図１において、デジタルビデオカメラは、マイクロコンピュータ１０１、光学ユニット１０２、撮像素子１０３、記憶媒体１０６、記憶媒体残容量検出部１０９、データ転送Ｉ／Ｆ１１１、バッテリ１１３、充電残量検出部１１８等を備えている。デジタルビデオカメラは、バッテリ１１３の充電を優先させる充電優先モードと、外部機器１１２に対する画像データの転送を優先させるデータ転送優先モードとを有する。
【００１８】
マイクロコンピュータ（以下、マイコンと表記）１０１は、カメラ各部の制御を司るものであり、プログラムに基づき後述の各フローチャートに示す処理を実行する。光学ユニット１０２は、レンズ、絞り、及びそれらを駆動するモータ等から構成され、撮影に伴う外光（被写体光）を取り込み、撮像素子１０３の撮像面上に結像させる。撮像素子１０３は、外光を電気的な信号に変換する。撮像素子１０３により変換された信号は、データ記憶部１０４を経由した後、画像処理部１０５に供給されデジタル画像データとなる。デジタル画像データは、データ記憶部１０４に一時的に記憶される。
【００１９】
記憶媒体制御部１０７は、記憶媒体１０６に対する画像データの書き込み／読み出しを制御する。記憶媒体１０６に対する画像データの書き込み／読み出しは、記憶媒体アクセスＩ／Ｆ１０８を介して行われる。記憶媒体残容量検出部１０９は、記憶媒体１０６における画像データが記録可能な残容量（以下、記録残量と表記）を検出する。記憶媒体１０６に記録されている画像データは、記憶媒体１０６から記憶媒体アクセスＩ／Ｆ１０８を通してデータ記憶部１０４に記憶される。
【００２０】
データ記憶部１０４に記憶されている画像データは、画像処理部１０５により映像表示部１１０に表示可能な画像データに変換することで、映像表示部１１０に表示することができる。映像表示部１１０は、マイコン１０１の制御に基づき画像データ（映像データ）の表示を行う。また、記憶媒体１０６に記憶されている画像データは、データ転送Ｉ／Ｆ１１１を介して外部機器１１２に転送することができる。
【００２１】
充電制御部１１４は、充電回路１１５を制御することでバッテリ１１３の充電を行う。ＡＣ電源アダプタ１１６は、デジタルビデオカメラとＡＣ電源を接続する。ＡＣ電源の電流は、ＡＣ電源アダプタ１１６を通して電源回路１１７に供給される。電源回路１１７は、デジタルビデオカメラ各部に電源を供給する。充電残量検出部１１８は、バッテリ１１３の充電残量を検出する。操作部１１９は、撮影・記録・再生等の指示、充電優先モード／転送優先モードの選択に用いるものであり、操作ボタン類の他に、各種設定画面（図２、図４、図７）を表示する表示部を備える。
【００２２】
次に、上記構成を有する本実施の形態のデジタルビデオカメラにおける充電優先モード／データ転送優先モードの設定内容と設定方法を図２を用いて説明する。
【００２３】
充電優先モードは、バッテリ１１３の充電をデータ転送より優先させるモードである（図３参照）。ユーザが操作部１１９から充電優先モードを選択すると、マイコン１０１は、充電優先モード処理を開始する。同時に、マイコン１０１は、充電回路１１５によりバッテリ１１３の充電を開始し、ユーザが指定するバッテリ１１３の充電規定残量（充電残量の規定値）まで充電を続ける。
【００２４】
次に、マイコン１０１は、ユーザが指定する記憶媒体１０６の空き容量である転送規定残量（記録残量の規定値）までデータ転送Ｉ／Ｆ１１１を介して外部機器１１２にデータ転送を行う。このデータ転送が終了した時点で、バッテリの充電残量と記憶媒体の記録残量がそれぞれの規定値に達している。マイコン１０１は、残りの時間に、バッテリ１１３の満充電までの充電と記憶媒体１０６の全データの転送を行う。
【００２５】
一方、データ転送優先モードは、外部機器１１２に対するデータ転送をバッテリ１１３の充電よりも優先させるモードである（図５参照）。即ち、データ転送優先モードでは、上述した充電優先モードにおける充電処理とデータ転送処理の優先順位を逆にした処理となる。
【００２６】
図２は、デジタルビデオカメラの各種設定画面を示す図であり、（ａ）、（ｂ）は、メニュー選択画面を示す図、（ｃ）は、充電・転送設定画面を示す図、（ｄ）は、充電規定残量・転送規定残量設定画面を示す図である。
【００２７】
図２において、充電優先モード／データ転送優先モードの設定方法を説明する。最初にユーザが操作部１１９を所定操作すると、マイコン１０１はメニュー選択画面２０１を表示部に表示する。メニュー選択画面２０１には、「動画設定」「静止画設定」「表示設定」「システム設定」「時刻設定」「戻る」の各項目がある。ユーザがメニュー選択画面２０１から「システム設定」を選択すると、マイコン１０１は、「システム設定」のメニュー選択画面２０２に切り換える。「システム設定」のメニュー選択画面２０２には、「リモコン設定」「操作音設定」「電源管理設定」「充電・転送設定」「戻る」の各項目がある。
【００２８】
ユーザが「システム設定」のメニュー選択画面２０２から「充電・転送設定」を選択すると、マイコン１０１は、充電・転送設定画面２０３に切り換える。充電・転送設定画面２０３には、「充電優先モード」「転送優先モード」「優先モード解除」の各項目がある。ユーザが充電・転送設定画面２０３から「充電優先モード」か「転送優先モード」を選択すると、マイコン１０１は、充電規定残量／転送規定残量設定画面２０４に切り換える。充電規定残量／転送規定残量設定画面２０４には、「充電規定残量」「転送規定残量」の各項目がある。
【００２９】
即ち、ユーザが充電・転送設定画面２０３から「充電優先モード」または「転送優先モード」を選択すると、充電規定残量／転送規定残量設定画面２０４において「充電規定残量」または「転送規定残量」を個別に設定することができる。なお、規定残量の設定は充電優先モード／転送優先モードに関わらず共通の設定となっている。
【００３０】
ユーザが「充電優先モード」「転送優先モード」を希望しないときは、「優先モード解除」を選択できる。この場合、バッテリ１１３に対する充電は、デジタルビデオカメラにＡＣ電源アダプタ１１６が差し込まれたときに行われる。また、外部機器１１２に対するデータ転送は、ユーザが手動で（操作部１１９を所定操作することで）データ転送を開始させたときに行われる。
【００３１】
上記のように、デジタルビデオカメラでは、バッテリ充電とデータ転送を行う順序に関する優先順位を設定することができる。また、デジタルビデオカメラでは、一定の時間内に、バッテリ１１３の充電残量と記憶媒体１０６の記録残量がそれぞれ規定値になるまでバッテリ充電とデータ転送を行う。
【００３２】
本実施の形態では、デジタルビデオカメラが充電優先モードに設定された場合のカメラ内部動作を図３のフローチャートを用いて説明する。
【００３３】
図３は、デジタルビデオカメラが充電優先モードに設定された場合のカメラ内部動作を示すフローチャートである。
【００３４】
図３において、デジタルビデオカメラのマイコン１０１は、ユーザにより操作部１１９から設定された充電優先モードの処理を開始すると、始めに充電残量検出部１１８によりバッテリ１１３の充電残量をチェックする。次に、マイコン１０１は、充電残量検出部１１８の検出結果を基にバッテリ１１３の充電残量を計算し、バッテリ１１３の充電残量が規定値以上かどうかを判定する（ステップＳ３０１）。ここでは、バッテリ１１３の充電残量の規定値が満充電の半分の５０％に設定されていると仮定する。
【００３５】
バッテリ１１３の充電残量が満充電の５０％を下回っている場合は、マイコン１０１は、充電残量が５０％になるまで充電回路１１７によりバッテリ１１３の充電を一定時間続ける（ステップＳ３０２）。バッテリ１１３の充電残量が満充電の５０％を上回っている場合、またはバッテリ１１３の充電に伴い充電残量が満充電の５０％以上になった場合は、マイコン１０１は、充電残量が充分であると判断しステップＳ３０３に進む。
【００３６】
次に、マイコン１０１は、データ転送を行うために記憶媒体残容量検出部１０９により記憶媒体１０６の記録残量を検出する。マイコン１０１は、記憶媒体残容量検出部１０９の検出結果を基に記憶媒体１０６の記録残量を計算し、記憶媒体１０６の記録残量が規定値以上かどうかを判定する（ステップＳ３０３）。ここでは、記憶媒体１０６の記録残量の規定値が記憶媒体１０６の全記憶容量の５０％に設定されていると仮定する。
【００３７】
記憶媒体１０６の記録残量が全記憶容量の５０％を下回っている場合は、マイコン１０１は、デジタルビデオカメラに接続された外部機器１１２にデータ転送Ｉ／Ｆ１１１を介してデータ転送を開始する（ステップＳ３０４）。データ転送は、データの最小単位であるファイル単位で行われる。記憶媒体１０６の記録残量が全記憶容量の５０％を上回っている場合、もしくはデータ転送に伴い記憶媒体１０６の記録残量が全記憶容量の５０％を上回った場合は、ステップＳ３０５に進む。
【００３８】
上記ステップＳ３０３の判定がＹＥＳとなった状態では、バッテリ１１３の充電残量は満充電の５０％を上回っており、記憶媒体１０６の記録残量は全記憶容量の５０％を上回っている。マイコン１０１は、バッテリ１１３の充電残量が満充電状態かどうかを判定する（ステップＳ３０５）。充電残量が満充電状態でない場合は、マイコン１０１は、充電回路１１７によりバッテリ１１３に充電を行う（ステップＳ３０６）。充電残量が満充電状態の場合は、ステップＳ３０７に進む。
【００３９】
次に、マイコン１０１は、記憶媒体１０６の未転送データがあるかどうかを判定する（ステップＳ３０７）。未転送データがない場合は、本処理を終了する。未転送データがある場合は、マイコン１０１は、記憶媒体１０６の全てのデータをデータ転送Ｉ／Ｆ１１１を介して外部機器１１２に転送し（ステップＳ３０８）、本処理を終了する。本処理が終了すると、バッテリ１１３は満充電状態、記憶媒体１０６は空の状態となる。
【００４０】
次に、デジタルビデオカメラが充電優先モードに設定された場合の充電中画面及び転送中画面の表示例を図４を用いて説明する。
【００４１】
図４は、デジタルビデオカメラの各種設定画面を示す図であり、（ａ）は、充電中画面を示す図、（ｂ）は、転送中画面を示す図である。
【００４２】
図４において、バッテリ１１３に充電中の場合は充電中画面２０５が表示部に表示される。充電中画面２０５の左上には「充電中」と表示され、右上には選択されている「充電優先モード」が表示される。また、バッテリ１１３の充電残量はプロセスバーを用いて視覚的に表示され、プロセスバーの下に数値でも表示される。なお、このとき、充電中画面２０５には記憶媒体１０６（メディア）空き容量も同時に表示されるが、プロセスバーはグレーアウトされた状態になる。これにより、充電とデータ転送のどちらが行われているかを明確にする。
【００４３】
一方、データ転送Ｉ／Ｆ１１１を介して外部機器１１２にデータ転送中の場合は転送中画面２０６が表示部に表示される。転送中画面２０６の左上には「データ転送中」と表示され、右上には選択されている「充電優先モード」が表示される。また、記憶媒体１０６（メディア）空き容量はプロセスバーを用いて視覚的に表示され、プロセスバーの下に数値でも表示される。なお、このとき、転送中画面２０６にはバッテリ１１３の充電残量も同時に表示されるが、プロセスバーはグレーアウトされた状態になる。これにより、充電とデータ転送のどちらが行われているかを明確にする。
【００４４】
以上説明したように、本実施の形態によれば、デジタルビデオカメラではマイコン１０１の制御により一定の時間内にバッテリ１１３の充電と外部機器１１２へのデータ転送を規定量まで行う。そのため、次回の撮影まで充分時間が取れなくても、撮影に必要なバッテリ１１３の充電残量と記憶媒体１０６の空き容量を確保することができる。これに伴い、ユーザに手間を掛けずに且つ部品点数やコストの増大を招くことなく、限られた時間でバッテリ充電とデータ転送が可能となる。これにより、バッテリ切れや記憶媒体の残容量不足でカメラが使用不能となる不具合を解消することが可能となる。
【００４５】
［第２の実施の形態］
本発明の第２の実施の形態は、上述した第１の実施の形態に対して、デジタルビデオカメラで図５のフローチャートに示す処理を行う点において相違する。本実施の形態のその他の要素は、上述した第１の実施の形態（図１）の対応するものと同一なので、説明を省略する。
【００４６】
本実施の形態では、デジタルビデオカメラがデータ転送優先モードに設定された場合のカメラ内部動作を図５のフローチャートを用いて説明する。
【００４７】
図５は、デジタルビデオカメラがデータ転送優先モードに設定された場合のカメラ内部動作を示すフローチャートである。
【００４８】
図５において、デジタルビデオカメラのマイコン１０１は、ユーザにより操作部１１９から設定されたデータ転送優先モードの処理を開始すると、データ転送を行うため記憶媒体残容量検出部１０９により記憶媒体１０６の記録残量を検出する。次に、マイコン１０１は、記憶媒体残容量検出部１０９の検出結果を基に記憶媒体１０６の記録残量を計算し、記憶媒体１０６の記録残量が規定値以上かどうかを判定する（ステップＳ４０１）。ここでは、記憶媒体１０６の記録残量の規定値が記憶媒体１０６の全記憶容量の５０％に設定されていると仮定する。
【００４９】
記憶媒体１０６の記録残量が全記憶容量の５０％を下回っている場合は、マイコン１０１は、デジタルビデオカメラに接続された外部機器１１２にデータ転送Ｉ／Ｆ１１１を介してデータ転送を開始する（ステップＳ４０２）。データ転送は、データの最小単位であるファイル単位で行われる。記憶媒体１０６の記録残量が全記憶容量の５０％を上回っている場合、もしくはデータ転送に伴い記憶媒体１０６の記録残量が全記憶容量の５０％を上回った場合は、ステップＳ４０３に進む。
【００５０】
次に、マイコン１０１は、充電残量検出部１１８によりバッテリ１１３の充電残量をチェックする。マイコン１０１は、充電残量検出部１１８の検出結果を基にバッテリ１１３の充電残量を計算し、バッテリ１１３の充電残量が規定値以上かどうかを判定する（ステップＳ４０３）。ここでは、バッテリ１１３の充電残量の規定値が満充電の半分の５０％に設定されていると仮定する。
【００５１】
バッテリ１１３の充電残量が満充電の５０％を下回っている場合は、マイコン１０１は、充電残量が５０％になるまで充電回路１１７によりバッテリ１１３の充電を一定時間続ける（ステップＳ４０４）。バッテリ１１３の充電残量が満充電の５０％を上回っている場合、またはバッテリ１１３の充電に伴い充電残量が満充電の５０％以上になった場合は、マイコン１０１は、充電残量が充分であると判断しステップＳ４０５に進む。
【００５２】
上記ステップＳ４０３の判定がＹＥＳとなった状態では、バッテリ１１３の充電残量は満充電の５０％を上回っており、記憶媒体１０６の記録残量は全記憶容量の５０％を上回っている。マイコン１０１は、記憶媒体１０６の未転送データがあるかどうかを判定する（ステップＳ４０５）。未転送データがある場合は、マイコン１０１は、記憶媒体１０６の全てのデータをデータ転送Ｉ／Ｆ１１１を介して外部機器１１２に転送する（ステップＳ４０６）。
【００５３】
次に、マイコン１０１は、バッテリ１１３の充電残量が満充電状態かどうかを判定する（ステップＳ４０７）。満充電状態の場合は、本処理を終了する。満充電状態でない場合は、マイコン１０１は、充電回路１１７によりバッテリ１１３に充電を行い（ステップＳ４０８）、本処理を終了する。本処理が終了すると、バッテリ１１３は満充電状態、記憶媒体１０６は空の状態となる。
【００５４】
以上説明したように、本実施の形態によれば、ユーザに手間を掛けずに且つ部品点数やコストの増大を招くことなく、限られた時間でバッテリ充電とデータ転送が可能となる。これにより、バッテリ切れや記憶媒体の残容量不足でカメラが使用不能となる不具合を解消することが可能となる。
【００５５】
［第３の実施の形態］
本発明の第３の実施の形態は、上述した第１の実施の形態に対して、デジタルビデオカメラで図６のフローチャートに示す処理を行う点において相違する。本実施の形態のその他の要素は、上述した第１の実施の形態（図１）の対応するものと同一なので、説明を省略する。
【００５６】
本実施の形態では、デジタルビデオカメラが充電優先モードに設定された場合のカメラ内部動作をエラー処理を含めて図６のフローチャートを用いて説明する。
【００５７】
図６は、デジタルビデオカメラが充電優先モードに設定された場合のカメラ内部動作を示すフローチャートである。
【００５８】
図６において、デジタルビデオカメラのマイコン１０１は、ユーザにより操作部１１９から設定された充電優先モードの処理を開始すると、充電残量検出部１１８によりバッテリ１１３の充電残量を検出する。マイコン１０１は、充電残量検出部１１８の検出結果を基にバッテリ１１３が充電可能かどうかをチェックする（ステップＳ５０１）。
【００５９】
バッテリ１１３の充電が可能な場合は、マイコン１０１は、充電残量検出部１１８の検出結果を基にバッテリ１１３の充電残量が規定値以上かどうかを判定する（ステップＳ５０２）。バッテリ１１３の充電残量が規定値を下回っている場合（充電が可能な場合）は、マイコン１０１は、充電回路１１７によりバッテリ１１３の充電を一定時間続ける（ステップＳ５０３）。バッテリ１１３の充電残量が規定値を上回っている場合（充電が不可能な場合）は、充電処理を行わずにステップＳ５０４に進む。
【００６０】
次に、マイコン１０１は、データ転送を行うためデジタルビデオカメラが外部機器１１２と接続が確立しているかどうかをチェックする（ステップＳ５０４）。外部機器１１２と接続が確立している場合（データ転送が可能な場合）は、マイコン１０１は、データ転送Ｉ／Ｆ１１１を介して外部機器１１２にデータ転送を行う（ステップＳ５０６）。外部機器１１２と接続が確立していない場合（データ転送が不可能な場合）は、ステップＳ５０７に進む。なお、データ転送が不可能な場合とは、外部機器１１２が所定動作（例えばハードディスクレコーダにおける録画動作）を行っているなど外部機器１１２で転送データを受信できない場合も含む。
【００６１】
ステップＳ５０７〜ステップＳ５０９では充電を行う。マイコン１０１は、まず始めに充電残量検出部１１８の検出結果を基にバッテリ１１３が充電可能かどうかをチェックする（ステップＳ５０７）。充電が不可能な場合は、ステップＳ５１０に進む。充電が可能な場合は、バッテリ１１３が満充電になっているかどうかを判定する（ステップＳ５０８）。バッテリ１１３が満充電になっていない場合は、マイコン１０１は、充電回路１１７により満充電になるまでバッテリ１１３の充電を行う（ステップＳ５０９）。バッテリ１１３が満充電になった場合は、ステップＳ５１０に進む。
【００６２】
ステップＳ５１０〜ステップＳ５１２ではデータ転送を行う。マイコン１０１は、まず始めにデジタルビデオカメラが外部機器１１２と接続が確立しているかどうかをチェックする（ステップＳ５１０）。外部機器１１２と接続が確立していない場合は、充電処理に戻る。このとき既に充電処理が終了しバッテリ１１３が満充電になっていれば、充電処理を抜けて外部機器１１２と接続ができるまで処理をループさせる。外部機器１１２と接続が確立している場合は、マイコン１０１は、記憶媒体１０９の未転送データがあるかどうかを判定する（ステップＳ５１１）。未転送データがある場合は、マイコン１０１は、記憶媒体１０６の全てのデータをデータ転送Ｉ／Ｆ１１１を介して外部機器１１２に転送する（ステップＳ５１２）。
【００６３】
ステップＳ５１２を終了した時点でデータ転送は完了しているため、マイコン１０１は、最後に充電残量検出部１１８の検出結果を基にバッテリ１１３が満充電状態かどうかをチェックする（ステップＳ５１３）。バッテリ１１３が満充電状態でない場合は、充電処理に戻り、バッテリ１１３が満充電状態の場合は、本処理を終了する。
【００６４】
次に、デジタルビデオカメラの充電優先モードの処理中のエラー表示例を図７を用いて説明する。
【００６５】
図７は、デジタルビデオカメラのエラー表示例を示す図であり、（ａ）、（ｂ）は、バッテリの充電ができない旨のエラー表示例を示す図、（ｃ）、（ｄ）、（ｅ）は、データ転送できない旨のエラー表示例を示す図である。
【００６６】
図７において、バッテリ１１３の充電ができない場合は、デジタルビデオカメラにＡＣ電源アダプタ１１６のＡＣプラグが接続されていない状態が考えられ、充電できない旨を警告する画面２０７が表示部に表示される。また、デジタルビデオカメラにバッテリ自体が装着されていない場合は、充電できない旨を警告する画面２０８が表示される。
【００６７】
また、データ転送ができない場合は、デジタルビデオカメラにネットワークのケーブルが接続されていないことが考えられ、データ転送できない旨を警告する画面２０９が表示される。また、外部機器に接続可能であっても接続先の外部機器が録画中などでデータの転送を拒否された場合は、データ転送できない旨を警告する画面２１０が表示される。また、デジタルビデオカメラに記憶媒体が装着されていない場合は、データ転送できない旨を警告する画面２１１が表示される。
【００６８】
以上説明したように、本実施の形態によれば、ユーザに手間を掛けずに且つ部品点数やコストの増大を招くことなく、限られた時間でバッテリ充電とデータ転送が可能となる。これにより、バッテリ切れや記憶媒体の残容量不足でカメラが使用不能となる不具合を解消することが可能となる。
【００６９】
［第４の実施の形態］
本発明の第４の実施の形態は、上述した第１の実施の形態に対して、デジタルビデオカメラで図８のフローチャートに示す処理を行う点において相違する。本実施の形態のその他の要素は、上述した第１の実施の形態（図１）の対応するものと同一なので、説明を省略する。
【００７０】
本実施の形態では、デジタルビデオカメラがデータ転送優先モードに設定された場合のカメラ内部動作をエラー処理を含めて図８のフローチャートを用いて説明する。
【００７１】
図８は、デジタルビデオカメラがデータ転送優先モードに設定された場合のカメラ内部動作を示すフローチャートである。
【００７２】
図８において、デジタルビデオカメラのマイコン１０１は、ユーザにより操作部１１９から設定されたデータ転送優先モードの処理を開始すると、デジタルビデオカメラが外部機器１１２と接続が確立しているかどうかをチェックする（ステップＳ６０１）。外部機器１１２と接続が確立していない場合（データ転送が不可能な場合）は、データ転送処理を行わずにステップＳ６０４に進む。外部機器１１２と接続が確立している場合（データ転送が可能な場合）は、マイコン１０１は、記憶媒体残容量検出部１０９により記憶媒体１０６の記録残量を検出し、検出結果を基に記憶媒体１０６の記録残量が規定値以上かどうかを判定する（ステップＳ６０２）。
【００７３】
記憶媒体１０６の記録残量が規定値を下回っている場合は、マイコン１０１は、デジタルビデオカメラに接続された外部機器１１２にデータ転送Ｉ／Ｆ１１１を介してデータ転送を行う（ステップＳ６０３）。記憶媒体１０６の記録残量が規定値を上回っている場合は、ステップＳ６０４に進む。
【００７４】
次に、マイコン１０１は、充電残量検出部１１８の検出結果を基にバッテリ１１３が充電可能かどうかをチェックする（ステップＳ６０４）。バッテリ１１３が充電不可能な場合は、ステップＳ６０７に進む。バッテリ１１３が充電可能な場合は、マイコン１０１は、充電残量検出部１１８の検出結果を基にバッテリ１１３の充電残量が規定値以上かどうかを判定する（ステップＳ６０５）。バッテリ１１３の充電残量が規定値を下回っている場合は、マイコン１０１は、充電回路１１７によりバッテリ１１３の充電を一定時間続ける（ステップＳ５０３）。充電が不可能な場合とは、デジタルビデオカメラにバッテリ１１３が装着されていない場合も含む。
【００７５】
ステップＳ６０７〜ステップＳ６０９ではデータ転送を行う。マイコン１０１は、まず始めにデジタルビデオカメラが外部機器１１２と接続が確立しているかどうかをチェックする（ステップＳ６０７）。外部機器１１２と接続が確立していない場合（データ転送が不可能な場合）は、ステップＳ６１０に進む。
【００７６】
外部機器１１２と接続が確立している場合（データ転送が可能な場合）は、マイコン１０１は、記憶媒体１０６の未転送データがあるかどうかを判定する（ステップＳ６０８）。未転送データがない場合は、ステップＳ６１０に進む。未転送データがある場合は、マイコン１０１は、記憶媒体１０６の全てのデータをデータ転送Ｉ／Ｆ１１１を介して外部機器１１２に転送する（ステップＳ６０９）。
【００７７】
ステップＳ６１０〜ステップＳ６１２では充電を行う。マイコン１０１は、まず始めに充電残量検出部１１８の検出結果を基にバッテリ１１３が充電可能かどうかをチェックする（ステップＳ６１０）。バッテリ１１３が充電不可能な場合は、データ転送処理に戻る。このとき既にデータ転送が完了し記憶媒体１０６が空になっていれば、データ転送処理を抜けてバッテリ１１３の充電が可能になるまで処理をループさせる。
【００７８】
バッテリ１１３が充電可能な場合は、マイコン１０１は、バッテリ１１３が満充電になっているかどうかを判定する（ステップＳ６１１）。バッテリ１１３が満充電になっていない場合は、マイコン１０１は、充電回路１１７により満充電になるまでバッテリ１１３の充電を行う（ステップＳ６１２）。バッテリ１１３が満充電になった場合は、ステップＳ６１３に進む。
【００７９】
ステップＳ６１１またはステップＳ６１２を終了した時点でバッテリ１１３は満充電になっているため、マイコン１０１は、最後に記憶媒体１０６の未転送データがあるかどうかをチェックする（ステップＳ６１３）。未転送データがある場合は、データ転送処理に戻る。未転送データがない場合は、本処理を終了する。
【００８０】
以上説明したように、本実施の形態によれば、ユーザに手間を掛けずに且つ部品点数やコストの増大を招くことなく、限られた時間でバッテリ充電とデータ転送が可能となる。これにより、バッテリ切れや記憶媒体の残容量不足でカメラが使用不能となる不具合を解消することが可能となる。
【００８１】
［他の実施の形態］
上記第１及び第２の実施の形態では、バッテリの充電残量の規定値が満充電の半分の５０％に設定され、記憶媒体の記録残量の規定値が全記憶容量の５０％に設定されている場合を例に挙げたが、これに限定されるものではない。充電残量の規定値、記録残量の規定値は、本発明の主旨を逸脱しない範囲で任意に設定することが可能である。
【００８２】
上記第１乃至第４の実施の形態では、充電とデータ転送を行う順序に関する優先順位を設定できるデジタルビデオカメラにおいて充電とデータ転送を実現する場合を例に挙げたが、これに限定されるものではない。上記優先順位を設定できないデジタルビデオカメラにも本発明を適用できる。この場合は、バッテリの充電残量が第１の規定値に達しているかを判定し、第１の規定値に達していなければ第２の規定値に達するまで充電を行う。このとき、第１の規定値と第２の規定値は同じ値であってもよい。バッテリの充電残量が第２の規定値に達した後、データ転送を行う。データ転送が終了すると再び第３の規定値まで（例えば満充電になるまで）充電を行う。
【００８３】
上記第１乃至第４の実施の形態では、デジタルビデオカメラと接続される外部機器の種類については言及しなかったが、外部機器は特定の種類に限定されるものではない。例えばハードディスクレコーダなどの各種の外部機器に適用することができる。
【００８４】
上記第１乃至第４の実施の形態では、撮像装置をデジタルビデオカメラに適用した場合を例に挙げたが、これに限定されるものではない。デジタルビデオカメラ以外の他の電子カメラにも本発明を適用することができる。
【００８５】
また、本発明の目的は、以下の処理を実行することにより達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００８６】
この場合、記憶媒体から読み出されたプログラムコード自体が前述した実施の形態の機能を実現することになり、そのプログラムコード及び該プログラムコードを記憶した記憶媒体は本発明を構成することになる。
【００８７】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００８８】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理により前述した実施形態の機能が実現される場合も含まれる。
【００８９】
更に、前述した実施形態の機能が以下の処理により実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００９０】
【図１】本発明の第１の実施の形態に係る撮像装置としてのデジタルビデオカメラの構成を示すブロック図である。
【図２】デジタルビデオカメラの各種設定画面を示す図であり、（ａ）、（ｂ）は、メニュー選択画面を示す図、（ｃ）は、充電・転送設定画面を示す図、（ｄ）は、充電規定残量・転送規定残量設定画面を示す図である。
【図３】デジタルビデオカメラが充電優先モードに設定された場合のカメラ内部動作を示すフローチャートである。
【図４】デジタルビデオカメラの各種設定画面を示す図であり、（ａ）は、充電中画面を示す図、（ｂ）は、転送中画面を示す図である。
【図５】本発明の第２の実施の形態に係る撮像装置としてのデジタルビデオカメラがデータ転送優先モードに設定された場合のカメラ内部動作を示すフローチャートである。
【図６ａ】本発明の第３の実施の形態に係る撮像装置としてのデジタルビデオカメラが充電優先モードに設定された場合のカメラ内部動作を示すフローチャートである。
【図６ｂ】デジタルビデオカメラが充電優先モードに設定された場合のカメラ内部動作を示すフローチャートである。
【図７】デジタルビデオカメラのエラー表示例を示す図であり、（ａ）、（ｂ）は、バッテリの充電ができない旨のエラー表示例を示す図、（ｃ）、（ｄ）、（ｅ）は、データ転送できない旨のエラー表示例を示す図である。
【図８ａ】本発明の第４の実施の形態に係る撮像装置としてのデジタルビデオカメラがデータ転送優先モードに設定された場合のカメラ内部動作を示すフローチャートである。
【図８ｂ】デジタルビデオカメラがデータ転送優先モードに設定された場合のカメラ内部動作を示すフローチャートである。
【符号の説明】
【００９１】
１０１  マイクロコンピュータ（制御手段）
１０６  記憶媒体
１０９  記憶媒体残容量検出部（記録残量検出手段）
１１１  データ転送Ｉ／Ｆ
１１２  外部機器
１１３  バッテリ
１１６  ＡＣ電源アダプタ
１１８  充電残量検出部（充電残量検出手段）
１１９  操作部（設定手段）
【図１】
2008085598.tif 000003
【図２】
2008085598.tif 000004
【図３】
2008085598.tif 000005
【図４】
2008085598.tif 000006
【図５】
2008085598.tif 000007
【図６ａ】
2008085598.tif 000008
【図６ｂ】
2008085598.tif 000009
【図７】
2008085598.tif 000010
【図８ａ】
2008085598.tif 000011
【図８ｂ】
2008085598.tif 000012